(57)【要約】【課題】紙詰まりの発生部位や用紙の形態に関係なく、紙詰まりによる発火を確実に防ぐとともに、紫外線ランプへの通電を停止することなく作業効率を維持することのできるインクジェット記録装置を提供する。【解決手段】搬送ユニット２は被記録媒体６を搬送する。記録ユニット３は、紫外線硬化型インクを固定式のライン記録ヘッド３ｂ、３ｃ、３ｍ、３ｙから被記録媒体６に吐出して画像を記録する。紫外線照射ユニット４は、被記録媒体６上の紫外線硬化型インクに紫外線を照射して定着させる。搬送ユニット２が被記録媒体６の詰まりを監視しており、被記録媒体６の詰まりが検出されると、紫外線照射ユニット４は、被記録媒体６に紫外線が照射されないように、搬送ユニット２が開放される位置に移動して収納部に収納される。収納部は、搬送ユニット２が開放される位置まで移動した紫外線照射ユニット４の照射口を遮蔽する。【選択図】　　　図１
2004114580.tif 000002
【特許請求の範囲】
【請求項１】
紫外線硬化型インクを固定式のライン記録ヘッドから被記録媒体に吐出して画像を記録する記録手段と、前記被記録媒体の搬送方向において前記記録手段より下流側に配置され、前記被記録媒体上の紫外線硬化型インクに紫外線を照射して定着させる紫外線照射手段と、前記紫外線照射手段に対向配置され、前記被記録媒体を搬送する搬送手段とを有する記録装置において、
前記被記録媒体が止まった場合、前記被記録媒体に紫外線が連続照射されないように、前記搬送手段が開放される位置に、前記紫外線照射手段が移動可能であることを特徴とする記録装置。
【請求項２】
前記搬送手段が開放される位置まで前記紫外線照射手段が移動すると、前記紫外線照射手段を収納する収納部をさらに有することを特徴とする、請求項１記載の記録装置。
【請求項３】
前記収納部は、前記搬送手段が開放される位置まで移動した前記紫外線照射手段の照射口を遮蔽するように構成されていることを特徴とする、請求項２記載の記録装置。
【請求項４】
キャリジの走査によって記録領域内を往復するシリアル記録ヘッドから紫外線硬化型インクを被記録媒体に吐出して画像を記録する記録手段と、前記記録手段と一体に配置され、前記被記録媒体上の紫外線硬化型インクに紫外線を照射して定着させる紫外線照射手段と、前記紫外線照射手段に対向配置され、前記被記録媒体を搬送する搬送手段とを有する記録装置において、
前記被記録媒体が止まった場合、前記被記録媒体に紫外線が連続照射されないように、前記紫外線照射手段が前記搬送手段の外側に移動可能であることを特徴とする記録装置。
【請求項５】
前記紫外線照射手段が前記搬送手段の外側に移動すると、前記紫外線照射手段を収納する収納部をさらに有することを特徴とする、請求項４記載の記録装置。
【請求項６】
前記収納部は、前記搬送ユニットの外側に移動した前記紫外線照射手段の照射口を遮蔽するように構成されていることを特徴とする、請求項５記載の記録装置。
【請求項７】
前記搬送手段が前記被記録媒体の詰まりを監視しており、前記被記録媒体の詰まりが検出されると、前記紫外線照射手段が移動して前記収納部に収納されることを特徴とする、請求項２、３、５、６のいずれか１項に記載の記録装置。
【請求項８】
前記搬送手段により前記被記録媒体の詰まりが検出されて前記紫外線照射手段が前記収納部に収納されると、前記被記録媒体の詰まりの処理を促す制御手段をさらに有することを特徴とする、請求項７記載の記録装置。
【請求項９】
前記制御手段は、前記被記録媒体の詰まりの処理を促すと共に、前記記録手段の動作を停止するように制御する、請求項８記載の記録装置。
【請求項１０】
前記収納部は、前記照射口を遮蔽して紫外線の漏洩を防ぎかつ空気の循環を可能とする遮蔽手段を有することを特徴とする、請求項２、３、５〜９のいずれか１項に記載の記録装置。
【請求項１１】
前記遮蔽手段は複数の板状遮蔽部材を有し、該板状遮蔽部材が該板状遮蔽部材の幅より小さい所定間隔で、前記照射口に対して傾斜に配置されていることを特徴とする、請求項１０記載の記録装置。
【請求項１２】
前記遮蔽手段は、少なくとも１つの開口をそれぞれ有する２つの板状遮蔽部材を有し、該板状遮蔽部材が互いの開口が重なることなく所定間隔をあけて配置されていることを特徴とする、請求項１０記載の記録装置。
【請求項１３】
前記遮蔽手段は、前記照射口を完全に遮断しない大きさの２つの板状遮蔽部材を有し、該板状遮蔽部材が、互いにずれることにより前記照射口の全体を遮蔽するようにして所定間隔で配置されていることを特徴とする、請求項１０記載の記録装置。
【請求項１４】
紫外線硬化型インクを記録ヘッドから被記録媒体に吐出して画像を記録する記録手段と、
前記被記録媒体の搬送方向において前記記録手段より下流側に配置され、前記被記録媒体上の紫外線硬化型インクに紫外線を照射して定着させる紫外線照射手段と、
前記被記録媒体を搬送する搬送手段と、
前記被記録媒体が止まった場合、前記被記録媒体に紫外線が連続照射されないように、前記紫外線照射手段を移動可能にする移動手段とを有する記録装置。
【発明の詳細な説明】
【０００１】
【発明の属する技術分野】
本発明は、紫外線を照射すると硬化する液体状のＵＶインクを飛翔させて、被記録媒体に付着させた直後、紫外線を照射することによってＵＶインクを硬化させ、最終画像を形成する記録装置に関する。
【０００２】
【従来の技術】
液体インクを使って用紙などに記録する方式として、インク滴を飛翔させて用紙などの被記録媒体に記録するインクジェット方式が知られている。この場合、色再現性、インクの長期保管性などの理由から、水性インクが一般的であった。しかし、水性インクでは水にあたるとにじんだり、屋外で放置すると日照や大気によって急速に褪色、茶変するなど、耐水性、耐光性、耐オゾン性に大きな問題があった。また、プラスチック、金属など非吸収性の材料表面には記録できないという問題もあった。
【０００３】
以上のような問題の解決方法として、例えば特開平１０−２５００５２号公報（特許文献１）に記載されるように、主成分が紫外線（ＵＶ）硬化樹脂および顔料などからなる紫外線硬化型インク（以下、ＵＶインクと称す）を使用する記録方法が提案されている。
ＵＶインクは紫外線の照射を受けると、短時間で液体から固体に相変化する性質があるので、以下のようなプロセスでＵＶインクを用いて画像を形成することができる。まず、ＵＶインクを被記録媒体に付着させる。ＵＶインクを被記録媒体に付着させた直後、ＵＶインクにより画像を形成するＵＶインク印字領域に紫外線を照射することにより、ＵＶインクを定着させる。これにより所望の画像が高速で良好に得られる。
【０００４】
インクジェット記録装置を含む記録装置では紙詰まりが発生することがある。そして、ＵＶインクを用いたインクジェット記録装置において、紫外線照射ユニットの真下に紙詰まりが発生すると、詰まった用紙を処理するまで、用紙の搬送が停止するので、用紙の一箇所に紫外線が照射され続けることとなり、媒体が熱により変形したり、曲がったり、溶けたり、或いは変色したりする可能性があった。
【０００５】
また、このような事態を防止する手段を施した記録装置として、例えば、特開平５−６４８７８号公報（特許文献２）には、ＵＶ照射手段の真下に紙詰まりの発生が検出された場合、紫外線照射ユニットが自動消灯し、詰まった用紙に紫外線が照射され続けるのを防止するというものが開示されている。
【０００６】
【特許文献１】
特開平１０−２５００５２号公報
【特許文献２】
特開平５−６４８７８号公報
【０００７】
【発明が解決しようとする課題】
特開平５−６４８７８号公報に記載されたように紫外線照射ユニットが自動消灯すれば、用紙の発火は防止できる。しかし、紫外線ランプは、通電を一旦停止すると、再度通電可能になるまでに数分間を要し、また再度通電しても、出力が安定するまでにさらに数分間を必要とする。そのため、一旦紙詰まりが発生すると、作業効率が大幅に低下してしまう。
【０００８】
また、上述の特開平５−６４８７８号公報では、紫外線ランプに対向する位置に紙詰まりが発生した場合にのみ、紫外線ランプを消灯している。しかし、ロール紙のような連続用紙の場合、紫外線ランプに対向する位置以外で紙詰まりが発生しても用紙全体が停止し、紫外線ランプ直下の用紙が過熱により前述の問題が発生する恐れがある。
【０００９】
本発明の目的は、紙詰まりの発生部位、用紙の形態に関係なく、紙詰まりによる発火を確実に防ぐとともに、紫外線ランプへの通電を停止することなく作業効率を維持することのできる記録装置を提供することである。
【００１０】
【課題を解決するための手段】
上記目的を達成するために、本発明の記録装置は、紫外線硬化型インクを記録ヘッドから被記録媒体に吐出して画像を記録する記録ユニットと、被記録媒体の搬送方向において記録ユニットより下流側に配置され、被記録媒体上の紫外線硬化型インクに紫外線を照射して定着させる紫外線照射ユニットと、紫外線照射ユニットに対向配置され、被記録媒体を搬送する搬送ユニットとを有し、被記録媒体が止まった場合、被記録媒体に紫外線が連続照射されないように、搬送ユニットが開放される位置に、紫外線照射ユニットが移動可能である。
【００１１】
したがって、本発明の記録装置は、搬送ユニットを開放するように紫外線照射ユニットが移動可能なので、被記録媒体の搬送が停止したときに、紫外線照射ユニットの紫外線ランプへの通電を停止しなくとも、止まった被記録媒体の一箇所へ紫外線が連続照射されないようにすることができる。
【００１２】
また、搬送ユニットが開放される位置まで紫外線照射ユニットが移動すると、紫外線照射ユニットを収納する収納部をさらに有してもよい。また、収納部は、搬送ユニットが開放される位置まで移動した紫外線照射ユニットの照射口を遮蔽するように構成されていてもよい。
【００１３】
したがって、紫外線照射ユニットは、移動したとき照射口が遮蔽されるように、収納部に収納される。
【００１４】
本発明の他の記録装置は、キャリジの走査によって記録領域内を往復するシリアル記録ヘッドから紫外線硬化型インクを被記録媒体に吐出して画像を記録する記録ユニットと、記録ユニットと一体に配置され、被記録媒体上の紫外線硬化型インクに紫外線を照射して定着させる紫外線照射ユニットと、紫外線照射ユニットに対向配置され、被記録媒体を搬送する搬送ユニットとを有し、止まった被記録媒体に紫外線が連続照射されないように、紫外線照射ユニットが搬送ユニットの外側に移動可能である。
【００１５】
したがって、本発明のインクジェット記録装置は、搬送ユニットの外側に紫外線照射ユニットが移動可能なので、被記録媒体の搬送が停止したときに、紫外線照射ユニットの紫外線ランプへの通電を停止しなくとも、被記録媒体へ紫外線が照射されないようにすることができ、被記録媒体の一箇所に連続的に紫外線が照射されることによる発火を防止することができ、かつ画像の記録を再開するとき、短時間で紫外線の照射を開始できるので、作業効率の低下を防止できる。
【００１６】
また、紫外線照射ユニットが搬送ユニットの外側に移動すると、紫外線照射ユニットを収納する収納部をさらに有してもよい。また、収納部は、搬送ユニットの外側に移動した紫外線照射ユニットの照射口を遮蔽するように構成されていてもよい。
【００１７】
したがって、紫外線照射ユニットは、搬送ユニットの外側に移動したとき照射口が遮蔽されるように、収納部に収納されるので、搬送ユニットの外側にあるときに紫外線ランプへの通電を停止しなくとも、周囲の人が紫外線を浴びてしまうことが無く、安全である。
【００１８】
また、搬送ユニットが被記録媒体の詰まりを監視しており、被記録媒体の詰まりが検出されると、紫外線照射ユニットが移動して収納部に収納されてもよい。
【００１９】
したがって、被記録媒体の詰まりが発生して、被記録媒体の搬送が停止しても、紫外線照射ユニットが移動して収納部に収納されるので、被記録媒体が詰まったときに、紫外線照射ユニットの紫外線ランプへの通電を停止しなくとも、被記録媒体へ紫外線が照射されない。
【００２０】
また、搬送ユニットにより被記録媒体の詰まりが検出されて紫外線照射ユニットが収納部に収納されると、被記録媒体の詰まりの処理を促す制御ユニットをさらに有してもよい。
【００２１】
したがって、被記録媒体の詰まりが発生すると、紫外線照射ユニットが収納部に収納されて被記録媒体の発火が防止されると共に、ユーザに被記録媒体の詰まりの処理が促される。
【００２２】
また、制御ユニットは、被記録媒体の詰まりの処理を促すと共に、記録ユニットの動作を停止するように制御してもよい。
【００２３】
また、収納部は、照射口を遮蔽して紫外線の漏洩を防ぎかつ空気の循環を可能とする遮蔽ユニットを有してもよい。
【００２４】
したがって、紫外線照射ユニットが移動したとき、照射口は遮蔽されて紫外線の漏洩は防止されるが、空気の循環は可能である。
【００２５】
また、遮蔽ユニットは複数の板状遮蔽部材を有し、それらの板状遮蔽部材が板状遮蔽部材の幅より小さい所定間隔で、照射口に対して傾斜に配置されていてもよい。
【００２６】
また、遮蔽ユニットは、少なくとも１つの開口をそれぞれ有する２つの板状遮蔽部材を有し、それらの板状遮蔽部材が互いの開口が重なることなく所定間隔をあけて配置されていてもよい。
【００２７】
また、遮蔽ユニットは、照射口を完全に遮断しない大きさの２つの板状遮蔽部材を有し、それらの板状遮蔽部材が、互いにずれることにより照射口の全体を遮蔽するようにして所定間隔で配置されていてもよい。
【００２８】
本発明のさらに他の記録装置は、紫外線硬化型インクを記録ヘッドから被記録媒体に吐出して画像を記録する記録ユニットと、被記録媒体の搬送方向において記録ユニットより下流側に配置され、被記録媒体上の紫外線硬化型インクに紫外線を照射して定着させる紫外線照射ユニットと、被記録媒体を搬送する搬送ユニットと、被記録媒体が止まった場合、被記録媒体に紫外線が連続照射されないように、紫外線照射ユニットを移動可能にする手段とを有している。
【００２９】
【発明の実施の形態】
本発明の実施形態について図面を参照して詳細に説明する。
【００３０】
（第１の実施形態）
第１の実施形態のインクジェット記録装置は被記録媒体として連続したロール紙を用いるものである。
【００３１】
図１は、第１の実施形態のインクジェット記録装置の構成を示す断面図である。図１を参照すると、第１の実施形態のインクジェット記録装置は、給送ユニット１、搬送ユニット２、記録ユニット３、紫外線照射ユニット４、リワインダーユニット５および収納部（不図示）を有している。
【００３２】
給送ユニット１は、セットされたロール紙６を搬送ユニット２に給送する。ロール紙６はループをなしながら搬送ユニット２に給送される。
【００３３】
搬送ユニット２は、駆動ローラ２ａ、駆動プーリ２ｂ、搬送ベルト２ｃ、ピンチローラ２ｄ、拍車２ｅおよびセンサー２ｆを有し、高精度位置制御が可能なシンクロプーリ・ベルト搬送ユニットを構成している。搬送ベルト２ｃが、記録領域と紫外線照射領域の全域に渡って、駆動プーリ２ｂおよび従動プーリ（不図示）に掛け渡されている。
【００３４】
搬送ユニット２は、給送ユニット１により給送されたロール紙６を搬送する。その際、搬送ユニット２は、従動プーリ（不図示）と同軸的に回転する駆動ローラ２ａと、駆動ローラ２ａにロール紙６を圧接させながら回転するピンチローラ２ｄとによってロール紙６を搬送する。さらに搬送ユニット２は、搬送ベルト２ｃと、ロール紙６の浮きを押さえる拍車２ｅとによってロール紙６を下流方向に搬送する。
【００３５】
センサー２ｆは、紫外線照射領域の入口および出口に配置されており、搬送ユニット２により搬送されるロール紙６の位置を検出する。紫外線照射領域とは、紫外線照射ユニット４により紫外線が照射される領域のことである。
【００３６】
図２は、第１の実施形態のインクジェット記録装置に使用されるロール紙の構造の一例を示す図である。ロール紙６は、例えば図２に示すように、複数の上紙６ａが剥離紙６ｂに粘着加工され、仕様に応じて抜き加工されたものであり、各上紙６ａ間に一定間隔のギャップ６ｃを有している。センサー２ｆは、所定波長の可視／非可視光線を発し、検出された上紙６ａが付いた部分の透過率と、剥離紙６ｂが露出したギャップ６ｃ部分の透過率との違いから上紙６ａの位置やギャップ６ｃ間の距離などを検出する。搬送ユニット２は、センサー２ｆによって検出された情報と、予め設定された上紙６ａの長さとを合わせて、上紙６ａへの画像記録の開始および停止の制御や、紙詰まりの検出に利用する。
【００３７】
例えば、紙詰まりの検出シーケンスとして、出口側のセンサー２ｆがロール紙６のギャップ６ｃを検出した後、上紙６ａの長さから定められる所定の時間（または距離）を過ぎても、次のギャップ６ｃが検出されないとき、紙詰まりと判断する。なお、本実施形態では、ロール紙６を用いる例を示したが、葉書などのシート紙を用いた場合、入口および出口のセンサー２ｆを使って、他の様々な紙詰まり検出シーケンスが可能である。
【００３８】
また、本実施形態では、上紙６ａ部分とギャップ６ｃ部分との所定光線における透過率の差から紙詰まり等を検出する例を示したが、その他に、予め剥離紙６ｂにマークを印刷しておき、マーク部分と非マーク部分における光線の反射濃度の差により紙詰まり等を検出することも可能である。
【００３９】
記録ユニット３は、熱エネルギーにより被記録媒体であるロール紙６に向けてインクを吐出するインクジェット方式を採用しており、搬送ユニット２により搬送された被記録媒体に画像を記録する。ここで用いられるインクは、紫外線を照射されると増粘、硬化する紫外線硬化型インク（以下、ＵＶインクと称す）である。
【００４０】
記録ユニット３は、ブラック記録ヘッド３ｂ、シアン記録ヘッド３ｃ、マゼンタ記録ヘッド３ｍおよびイエロー記録ヘッド３ｙを有している。これらはロール紙６の搬送方向に沿って、ブラック記録ヘッド３ｂ、シアン記録ヘッド３ｃ、マゼンタ記録ヘッド３ｍ、イエロー記録ヘッド３ｙの順に配置されている。本実施形態のインクジェト記録装置はフルラインヘッドを採用しており、各記録ヘッドを動かすことなく、４インチ幅の範囲内に高速印字することができる。
【００４１】
記録ユニット３は、搬送ユニット２により搬送されるロール紙６に向けて、制御ユニット（不図示）からの画像記録信号に応じて各記録ヘッドからＵＶインクを吐出する。画像記録信号はデジタル化された信号であり、各記録ヘッドからのＵＶインクの吐出を制御するための信号である。画像記録信号と、駆動プーリ２ｂを駆動するステッピングモータの回転パルスとは同期しており、ロール紙６の所望の位置に所望の色のＵＶインクが吐出される。
【００４２】
ＵＶインクにより画像が形成され、ＵＶインクが定着していない状態のロール紙６は、搬送ユニット２によって紫外線照射領域に搬送される。
【００４３】
紫外線照射ユニット４は、発光バルブ４ａ、反射鏡４ｂ、冷却ファン４ｃ、筐体４ｄおよびレール４ｅを有し、ロール紙６のＵＶインクに紫外線を照射して定着させる。
【００４４】
発光バルブ４ａおよび反射鏡４ｂにより光源部が構成されており、発光バルブ４ａから発せられた紫外線が反射鏡４ｂにより効率良く紫外線照射領域に導かれる。ロール紙６は搬送ユニット２により搬送され、紫外線照射領域を一定の速度で通過する。それによりロール紙６上のＵＶインクは耐水性、耐光性の良好な記録物となって定着する。冷却ファン４ｃは、発光バルブ４ａにより熱せられた空気を吸い取り、ダクト（不図示）を通じて外部に排出することにより、紫外線照射ユニット４およびその周辺の発熱を抑える。
【００４５】
発光バルブ４ａ、反射鏡４ｂおよび冷却ファン４ｃを収容した筐体４ｄは、駆動機構（不図示）により、レール４ｅに沿って移動する。
【００４６】
図３は、第１の実施形態における紫外線照射ユニットの移動の様子を示す図である。図３に示すように、筐体４ｄは、紫外線照射領域に紫外線を照射する位置から、搬送ユニット２を開放する位置まで移動可能である。
【００４７】
例えば、搬送ユニット２により紙詰まりが検出されると、紫外線照射ユニット４は搬送ユニット２を開放する位置に移動する。搬送ユニット２が完全に開放されることにより、ロール紙６の一箇所へ紫外線が照射され続けることがなくなり、用紙の変形したり、曲がったり、とけたり、変色したりするのを防止できる。
【００４８】
リワインダー５は中継ローラ５ａを含み、画像が記録されたロール紙６を整合させる。
【００４９】
図４は、第１の実施形態のインクジェット記録装置における収納部の構造を示す断面図であり、例えば（１）〜（３）のいずれかの構造である。図１では不図示であったが、第１の実施形態のインクジェット記録装置は収納部７を有している。
【００５０】
収納部７は、紫外線照射ユニット４が搬送ユニット２を開放する位置にあるとき、例えば紙詰まり処理を行う作業者を、紫外線照射ユニット４からの紫外線の被爆から保護するために、紫外線照射ユニット４を収納する。
【００５１】
収納部７は、紫外線照射ユニット４の照射口に対向する口部が紫外線の漏洩を防止し、かつ外部からの空気の取り入れが可能な構造となっている。そのため、紫外線照射ユニット４は、収納部７に収納されているときにも冷却ファン４ｃにより冷却される。
【００５２】
図４（１）には、複数の板状遮蔽部材が一定のピッチ間隔で斜めに配置された構造の口部を有する収納部７が示されている。このピッチ間隔は板状遮蔽部材の幅より小さい。図４（２）には、少なくとも１つの開口をそれぞれ有する２つの板状遮蔽部材が所定距離をあけて配置され、かつ各板状遮蔽部材の開口同士が紫外線の照射方向に対して重ならない構造の口部を有する収納部が示されている。図４（３）には、紫外線照射ユニット４の口部を完全に遮断しない２つの板状遮蔽部材が、互いにずれ、所定距離をあけて配置された口部を有する収納部が示されている。収納部７は、図４（１）〜（３）のいずれの構造によってもよく、また他の構成も可能である。
【００５３】
図５は、上述した制御ユニットの主要な一部の機能を示すブロック図であり、図６は、制御ユニットによる紙つまり処理の手順を示すフローチャートである。図５を参照すると、制御ユニット２０は、処理部２１、表示駆動部２３、冷却ファン駆動部２４および照射ユニット移動部２５を有している。そして、処理部２１は、図１に示したセンサ２ｆと接続されている。
【００５４】
処理部２１は情報処理演算を行うＣＰＵであり、内蔵するメモリ（不図示）には図６に示した処理を含むプログラムが記憶されている。処理部２１は、そのプログラムに基づき、図６に示した処理を実行する。センサ２ｆは、ロール紙６の紙つまりを検知しており、検知された情報は処理部２１により読み取られる。
【００５５】
表示駆動部２２は、操作者にメッセージを報知する。
【００５６】
冷却ファン駆動部２３は、処理部２１により制御され、冷却ファン４ｃを駆動する。
【００５７】
照射ユニット移動部２４は、紫外線照射ユニット４を駆動して移動させる。
【００５８】
上述した構成の本実施形態のインクジェット記録装置の通常の記録動作について説明する。
【００５９】
インクジェット記録装置は、まず、給送ユニット１によりロール紙６を搬送ユニット２に給送する。次に、インクジェット記録装置は、搬送ユニット２によりロール紙６を搬送し、それと同期して記録ユニット３の各記録ヘッドからロール紙６にＵＶインクを吐出する。次に、インクジェット記録装置は、ＵＶインクにより画像が記録されたロール紙６を搬送ユニット２によりさらに搬送し、定着していないＵＶインクに紫外線照射ユニット４から紫外線を照射して定着させる。次に、インクジェット記録装置は、ＵＶインクによる画像が定着したロール紙６を搬送ユニット２によりさらに搬送し、リワインダー５により整合する。
【００６０】
本実施形態のインクジェット記録装置の紙づまり時の動作について図６を参照して説明する。
【００６１】
インクジェット記録装置は、搬送ユニット２に含まれるセンサー２ｆにより紙詰まりの検出を行っている。ステップＳ１で紙詰まりを検出すると、インクジェット記録装置は記録ユニット３の動作を停止し、ステップＳ２で搬送ユニット２を開放する位置まで紫外線照射ユニット４を退避移動する。搬送ユニット２を開放する位置まで移動した紫外線照射ユニット４は収納部７に収納される。
【００６２】
次に、冷却ファン駆動部２３が冷却ファン４ｃの駆動を開始する。次に、ステップＳ４で表示駆動部２２が紙つまりを報知する。インクジェット記録装置は、ブザー、インクジェット記録装置の表示部（不図示）、またはインクジェット記録装置に接続された制御装置（不図示）の表示部などを用いて、紙詰まりが発生したことを作業者に知らせる。インクジェット記録装置は、ステップＳ５で紙つまりが継続しているかをチェックする。
【００６３】
紙つまりが解消している場合、インクジェット記録装置は、ステップＳ６で、照射ユニット移動部２３により紫外線照射ユニット４を元の位置に戻す。更に、インクジェット記録装置は、冷却ファン駆動部２３により、ステップＳ７で冷却ファン４ｃを停止させる。更に、インクジェット記録装置は、表示駆動部２２により、ステップＳ８で紙つまり報知を解除する。
【００６４】
前述のように、紫外線照射ユニット４が移動して、搬送ユニット２またはその上のロール紙６が開放されているので、ロール紙６の一箇所に紫外線が照射され続けることがなく、ロール紙６が発火することがない。また、移動した紫外線照射ユニット４は収納部７に収納されているので、紫外線が漏洩することが無く、作業者は紫外線の被爆を受けない。また、紫外線照射ユニット４が収納部７に収納されている状態でも、冷却ファン４ｃにより外部の空気を取り入れることができるので、過熱されることがない。また、紙詰まりが発生しても発光バルブ４ａは消灯されないので、紙詰まり処理後に紫外線照射を短時間で再開することができ、作業効率を維持することができる。
【００６５】
（第２の実施形態）
第２の実施形態のインクジェット記録装置はシリアルヘッドを用いるものである。
【００６６】
図７は、第２の実施形態のインクジェット記録装置の構成を示す構成図である。図７は、第１の実施形態と異なる記録ユニット周辺を主に示している。図７を参照すると、第２の実施形態のインクジェット記録装置は、記録ユニット８、紫外線照射ユニット９、ガイド１０、プラテン１１、用紙１２、収納部１３および冷却ファン１４を有している。記録ユニット８は、ブラック記録ヘッド８ｂ、シアン記録ヘッド８ｃ、マゼンタ記録ヘッド８ｍおよびイエロー記録ヘッド８ｙを有している。
【００６７】
記録ユニット８と紫外線照射ユニット９は一体に構成され、キャリジを含む駆動機構（不図示）によりガイド１０に沿って用紙１２の幅方向に往復移動（走査）する。それにより、記録ユニット８および紫外線照射ユニット９は記録領域、回復領域および収納位置に移動可能である。記録領域とは、画像の記録を行なう位置のことである。回復領域とは、各記録ヘッドの回復処理を行う位置のことである。収納位置とは、紙詰まりの処理などのために、搬送ユニット（不図示）を開放する位置であり、記録領域および回復領域の外側にある。
【００６８】
搬送ユニット（不図示）に含まれるプラテン１０により、ロール紙またはカット紙などの用紙１２が長さ方向（幅方向に対して垂直な方向）に搬送される。
【００６９】
紫外線照射ユニット９は収納位置にあるとき、収納部１３に収納される。収納部１３は、図４に示した第１の実施形態の収納部７と同様に、紫外線照射ユニット９からの紫外線の漏洩を防止し、かつ外部からの空気の取り入れが可能な構造となっている。
【００７０】
冷却ファン１４は、収納部１３に収納された紫外線照射ユニット９を冷却可能な位置に配置されており、紫外線照射ユニット９が収納部１３に収納されると、作動する。
【００７１】
上述した構成の本実施形態のインクジェット記録装置は、プラテン１１により用紙１２を搬送し、それと同期して、記録ユニット８および紫外線照射ユニット９を走査しながら記録ユニット８の各記録ヘッドからＵＶインクを吐出することにより、用紙１２に画像を記録するとともにＵＶインクを定着させる。
【００７２】
また、インクジェット記録装置は、不図示のセンサーにより紙詰まりの検出を行っている。紙詰まりを検出すると、記録ユニット８からのＵＶインクの吐出を停止し、記録ユニット８および紫外線照射ユニット９を収納位置に移動する。これにより、紫外線収納部９は収納部１３に収納される。そして、インクジェット記録装置は紙詰まりが発生したことを作業者に知らせる。
【００７３】
記録ユニット８および紫外線照射ユニット９が移動して、プラテン１１またはその上の用紙１２が開放されているので、用紙１２の一箇所に紫外線が照射され続けることがなく、用紙１２が発火することがない。また、移動した紫外線照射ユニット９は収納部１３に収納されているので、紫外線が漏洩することが無く、作業者は紫外線の被爆を受けない。また、紫外線照射ユニット９が収納部１３に収納されている状態では、冷却ファン１４により冷却されるので、過熱されることがない。また、紙詰まりが発生しても紫外線照射ユニット９の発光バルブ（不図示）は消灯されないので、紙詰まり処理後に紫外線照射を短時間で再開することができ、作業効率を維持することができる。
【００７４】
【発明の効果】
本発明によれば、搬送ユニットを開放するように紫外線照射ユニットが移動可能なので、被記録媒体の搬送が停止したときに、紫外線照射ユニットの紫外線ランプへの通電を停止しなくとも、被記録媒体へ紫外線が照射されないようにすることができ、被記録媒体の一箇所に連続的に紫外線が照射されることによる発火を防止することができ、かつ画像の記録を再開するとき、短時間で紫外線の照射を開始できるので、作業効率の低下を防止できる。
【００７５】
また、紫外線照射ユニットは、移動したとき照射口が遮蔽されるように、収納部に収納されるので、移動した位置にあるときに紫外線ランプへの通電を停止しなくとも、周囲の人が紫外線を浴びてしまうことが無く、安全である。
【００７６】
また、紫外線照射ユニットが移動したとき、照射口は遮蔽されて紫外線の漏洩は防止されるが、空気の循環は可能なので、紫外線照射ユニットの過熱が防止され、安全である。
【図面の簡単な説明】
【図１】第１の実施形態のインクジェット記録装置の構成を示す断面図である。
【図２】第１の実施形態のインクジェット記録装置に使用されるロール紙の構造の一例を示す図である。
【図３】第１の実施形態における紫外線照射ユニットの移動の様子を示す図である。
【図４】第１の実施形態のインクジェット記録装置における収納部の構造を示す断面図である。
【図５】第１の実施形態の制御ユニットの主要な一部の機能を示すブロック図である。
【図６】第１の実施形態における制御ユニットによる紙つまり処理の手順を示すフローチャートである。
【図７】第２の実施形態のインクジェット記録装置の構成を示す構成図である。
【符号の説明】
１　　給送ユニット
２　　搬送ユニット
２ａ　　駆動ローラ
２ｂ　　駆動プーリ
２ｃ　　搬送ベルト
２ｄ　　ピンチローラ
２ｅ　　拍車
２ｆ　　センサー
３、８　　記録ユニット
３ｂ、８ｂ　　ブラック記録ヘッド
３ｃ、８ｃ　　シアン記録ヘッド
３ｍ、８ｍ　　マゼンタ記録ヘッド
３ｙ、８ｙ　　イエロー記録ヘッド
４、９　　紫外線照射ユニット
４ａ　　発光バルブ
４ｂ　　反射鏡
４ｃ　　冷却ファン
４ｄ　　筐体
４ｅ　　レール
５　　リワインダーユニット
６　　ロール紙
６ａ　　上紙
６ｂ　　剥離紙
６ｃ　　ギャップ
７、１３　　収納部
１０　　ガイド
１１　　プラテン
１２　　用紙
１４　　冷却ファン
【図１】
2004114580.tif 000003
【図２】
2004114580.tif 000004
【図３】
2004114580.tif 000005
【図４】
2004114580.tif 000006
【図５】
2004114580.tif 000007
【図６】
2004114580.tif 000008
【図７】
2004114580.tif 000009